(57)【要約】【課題】シートキーとＬＥＤが実装されるプリント基板との距離を縮めることで視認性を向上させ、ケーブル及びコネクタを備えることなくシートキーとプリント基板とを接続することで超薄型に構成する。【解決手段】操作キー部２ａに対応する位置に導電体２ｂが形成されたシートキー２と、シートキー２に形成された導電体２ｂに対向する位置に開接点の導電体３ａが形成され、シートキー２と重ねられるプリント基板３とを備える。【選択図】図１
2011060597.tif 000002
【特許請求の範囲】
【請求項１】
設備機器を管理するための操作キー部を有するアナンシエータにおいて、
前記操作キー部に対応する位置に導電体が形成されたシートキーと、
前記シートキーに形成された導電体に対向する位置に開接点の導電体が形成され、前記シートキーに重ねられるプリント基板と
を備えることを特徴とするアナンシエータ。
【請求項２】
前記プリント基板にはＬＥＤ（Light Emitting Diode）が実装され、
前記シートキーには、前記ＬＥＤに対向する位置に開口部が形成される
ことを特徴とする請求項１記載のアナンシエータ。
【発明の詳細な説明】
【技術分野】
【０００１】
この発明は、例えば設備機器を管理するアナンシエータに関するものである。
【背景技術】
【０００２】
複数の操作キー部及びこの各操作キー部に対応するＬＥＤ（Light Emitting Diode）により構成される表示装置を用いて設備機器を管理するアナンシエータは、多くの管理点を一覧表示できる直感的なインターフェースであり、機械式のスイッチを用いたもの（例えば、特許文献１参照）やタッチパネルを用いたものがある。
これらのアナンシエータは、ＰＣ（Personal Computer）のＬＣＤ（Liquid Crystal Display）等を用いたものよりも簡単な操作端末であるため、ＰＣが普及した現在でも依然として高い需要がある。
【０００３】
しかしながら、アナンシエータは、ＬＣＤと比較すると表示の表現力に劣り、また、ＬＣＤは生産数の拡大と技術進歩により年々低価格化と薄型化が進んでいる。したがって、今後もアナンシエータを提供していくためには、徹底した低コスト化と薄型化が求められている。
【０００４】
そこで、特許文献１に開示されるような機械式のスイッチやタッチパネルを用いたアナンシエータに対して、シートキーを用いることにより薄型に構成したアナンシエータがある（例えば、特許文献２，３参照）。
【０００５】
この特許文献２，３に開示されるアナンシエータ１００は、図４に示すように、ＬＥＤ１０１が実装されたプリント基板１０２上に、導電体１０３とレジスト（絶縁体）１０４が形成された複数のシート１０５及び表面シート１０６等を重ねることにより複数の操作キー部１０７ａが形成されるシートキー１０７と、プリント基板１０２及びシートキー１０７を収容するフレーム１０８とを備え、管理者がシートキー１０７に形成された所望の操作キー部１０７ａを押圧する（図４に示す矢印Ｂ）ことにより、操作キー部１０７ａの上下に配置された導電体１０３が導通してケーブル１０９・コネクタ１１０を介してプリント基板１０２に押圧した場所の接点情報を伝達する。
【先行技術文献】
【特許文献】
【０００６】
【特許文献１】特開平５−１１５０９１号公報
【特許文献２】特開２００３−１４０８０９号公報
【特許文献３】特開２００５−２５０７５９号公報
【発明の概要】
【発明が解決しようとする課題】
【０００７】
しかしながら、特許文献２，３に開示されるシートキー１０７を用いたアナンシエータ１００においても、図４に示すように、シートキー１０７とＬＥＤ１０１が実装されたプリント基板１０２との間に、シートキー１０７を貼り付けるための、フレーム１０８から突出した平面部１０８ａを設ける必要があるため、ＬＥＤ１０１とシートキー１０７の表面との間に距離が生じ、ＬＥＤ１０１が発光した際の特に斜め方向からの視認性が悪いという課題があった。
また、シートキー１０７の上下の導電体１０３が導通することにより出力される信号をプリント基板１０２に送信するために、ケーブル１０９及びコネクタ１１０を設ける必要があるため、アナンシエータ１００の薄型化を妨げる要因となっているという課題があった。
【０００８】
この発明は、上記のような課題を解決するためになされたもので、シートキーとＬＥＤが実装されるプリント基板との距離を縮めることでＬＥＤによる発光の視認性を向上することができ、また、ケーブル及びコネクタを備えることなくシートキーとプリント基板とを接続することで超薄型に構成することができるアナンシエータを提供することを目的としている。
【課題を解決するための手段】
【０００９】
この発明に係るアナンシエータは、操作キー部に対応する位置に導電体が形成されたシートキーと、シートキーに形成された導電体に対向する位置に開接点の導電体が形成され、シートキーに重ねられるプリント基板とを備えるものである。
【発明の効果】
【００１０】
この発明によれば、上記のように構成したので、操作キーに対応して導電体が形成されたシートとこの導電体の対向する位置に開接点の導電体が形成されたプリント基板とを貼り合わせることで、超薄型で斜め方向からも視認性のよいアナンシエータを構成することができる。また構成要素を削減することによりコストダウンも図れる。
【図面の簡単な説明】
【００１１】
【図１】この発明の実施の形態１に係るアナンシエータの構成を示す分解斜視図である。
【図２】この発明の実施の形態１に係るアナンシエータの構成を示す断面図である。
【図３】この発明の実施の形態１におけるシートキーの構成を示す分解斜視図である。
【図４】従来のアナンシエータの構成を示す断視図である。
【発明を実施するための形態】
【００１２】
以下、この発明の実施の形態について図面を参照しながら詳細に説明する。
実施の形態１．
図１はこの発明の実施の形態１に係るアナンシエータ１の構成を示す分解斜視図である。図１（ａ）は表側からの分解斜視図であり、図１（ｂ）は裏側からの分解斜視図である。また、図２はこの発明の実施の形態１に係るアナンシエータ１の構成を示す断面図である。
アナンシエータ１は、図１，２に示すように、シートキー２、プリント基板３及び樹脂フレーム４から構成される。
【００１３】
シートキー２は、管理者が管理を行う設備機器の異常等に対応して操作を行うための複数の操作キー部２ａが形成されたシート状のスイッチである。図１（ｂ）に示すように、このシートキー２の裏面には、操作キー部２ａに対応する位置に導電インク（導電体）２ｂが印刷により形成されている。また、後述するプリント基板３に実装されたＬＥＤ３ｂに対向するシートキー２の位置には、ＬＥＤ３ｂとの接触を回避し、このＬＥＤ３ｂによる光を透過させるための開口部２ｃが形成されている。また、図２に示すように、操作キー部２ａには、各操作キー部２ａの名称または機能等が記入されたカードを挿入するためのカードポケット２ｄが形成されている。
【００１４】
プリント基板３は、管理者によるシートキー２に形成された操作キー部２ａの押圧に応じて、この押圧された操作キー部２ａに対応するＬＥＤ３ｂを発光・消光させるものである。図１（ａ）に示すように、このプリント基板３の表面には、シートキー２に形成された導電インク２ｂに対向する位置に開接点の導電体３ａがパターン印刷により形成され、また、各操作キー部２ａに対応してシートキー２側に向けて発光する超薄型（例えば、０．２ｍｍ程度）のＬＥＤ３ｂが実装されている。このプリント基板３はシートキー２に重ねられ、接着剤等により貼り付けられる。
【００１５】
樹脂フレーム４は、シートキー２及びプリント基板３を保持するものである。この樹脂フレーム４の上面には、貼り付けられたシートキー２及びプリント基板３を収容して保持するための収容部４ａが形成されている。
【００１６】
次に、上記のように構成されるシートキー２の詳細について説明する。
図３はこの発明の実施の形態１におけるシートキー２の構成を示す分解斜視図である。図３（ａ）は表側からの分解斜視図であり、図３（ｂ）は裏側からの分解斜視図である。
シートキー２は、図３に示すように、表面シート５、カードスペーサ６、ベースシート７及びレジスト層８から構成される。
【００１７】
表面シート５は、アナンシエータ１の名称または機能等が記入されたカードを保持し透かして見せるためのものであり、透明ポリエステル等を印刷によって一部を不透明にすることにより形成されるものである。図３（ａ）に示すように、この表面シート５には、管理者が管理を行う設備機器等を選択して操作を行うための操作キー部５ａが、下部に挿入されるカードに記入された文字を視認することができるように、印刷を行わないことにより透明に形成され、また、プリント基板３に実装されたＬＥＤ３ｂに対応する位置に、このＬＥＤ３ｂによる光を透過させるための透過部５ｂが印刷を行わないことにより透明に形成される。
【００１８】
カードスペーサ６は、表面シート５に形成された操作キー部５ａに対応する位置に、各操作キー部２ａの名称または機能等が記入されたカードを挿入するためのスペース６ａが形成されるものである。また、プリント基板３に実装されたＬＥＤ３ｂに対応する位置には、ＬＥＤ３ｂとの接触を回避し、このＬＥＤ３ｂによる光を透過させるための開口部６ｂが形成される。
【００１９】
ベースシート７は、管理者によりシートキー２に形成された操作キー部２ａが押圧された際に、この押圧された操作キー部２ａに対応して、プリント基板３に形成された開接点の２つの導電体３ａを導通させるものである。図３（ｂ）に示すように、このベースシート７の裏面には、表面シート５に形成された操作キー部５ａに対応する位置に導電インク２ｂが印刷により形成される。また、プリント基板３上に実装されたＬＥＤ３ｂに対応する位置には、ＬＥＤ３ｂとの接触を回避し、このＬＥＤ３ｂによる光を透過させるための開口部７ａが形成される。
【００２０】
レジスト層８は、シートキー２とプリント基板３とを絶縁するためのものでありレジスト（絶縁体）により構成される。このレジスト層８には、ベースシート７に形成された導電インク２ｂに対応する位置に開口部８ａが形成される。また、プリント基板３上に実装されたＬＥＤ３ｂに対応する位置には、ＬＥＤ３ｂとの接触を回避し、このＬＥＤ３ｂによる光を透過させるための開口部８ｂが形成される。
【００２１】
シートキー２は、上記のように構成される、表面シート５、カードスペーサ６、ベースシート７及びレジスト層８を順に重ねて、接着剤等により貼り付けることによって構成される。
【００２２】
次に、上記のように構成されるアナンシエータ１の動作について説明する。
図２に示すように、設備機器を管理する管理者によって、この設備機器等を操作するために、シートキー２に形成された所望の操作キー部２ａが押圧されると（図２に示す矢印Ａ）、この操作キー部２ａに対応する導電インク２ｂによって、プリント基板３に形成された開接点の２つの導電体３ａが導電して接点が閉じる。
【００２３】
ここで、シートキー２をプリント基板３に直接貼り付けて構成したので、プリント基板３に実装されたＬＥＤ３ｂとシートキー２の表面との距離を縮めることができるため、ＬＥＤ３ｂによる発光の斜め方向からの視認性を向上させることができる。
また、シートキー２の操作キー部２ａに対応する位置に導電インク２ｂを形成し、この導電インク２ｂに対向する、プリント基板３上の位置に開接点の導電体３ａを形成するように構成したので、この導電インク２ｂにより開接点の２つの導電体３ａを導通させることによって、プリント基板３に直接信号を出力させることができるため、シートキー２及びプリント基板３にケーブル及びコネクタを備える必要がなくなり、超薄型に構成することができる。
【００２４】
以上のように、この発明の実施の形態１によれば、操作キー部２ａに対応する位置に導電インク２ｂが形成されたシートキー２と、この導電インク２ｂに対向する位置に開接点の導電体３ａが形成されたプリント基板３とを重ねるようにして構成したので、シートキー２とプリント基板３に実装されたＬＥＤ３ｂとの距離を縮めることができるため、このＬＥＤ３ｂによる発光の視認性を向上することができる。また、シートキー２及びプリント基板３にケーブル及びコネクタを設けることなく、管理者によってシートキー２に形成された操作キー部２ａが押圧されることを示す信号をプリント基板３に直接出力させることができるため、超薄型に構成することができ、また、低コスト化を実現することができる。
【００２５】
また、従来のアナンシエータでは、シートキーの上下のシートに対向して形成された導電体が導通することにより出力される信号をプリント基板に送信していたが、この発明の実施の形態１に係るアナンシエータ１では、シートキー２のベースシート７に形成された導電インク２ｂによって、プリント基板３に形成された開接点の導電体３ａを導通させることにより信号を出力させる構成とすることで、シートキー２の層の数を減らすことができるため、さらにコストを削減することができる。さらに、シートキー２の部品点数の削減及びケーブル、コネクタの削減により、組み立て工数を削減することができる。
【００２６】
なお、この発明の実施の形態１に係るアナンシエータ１では、プリント基板３の表面に超薄型のＬＥＤ３ｂを設けるように構成したが、これに限るものではなく、例えば、プリント基板３に開口部を形成して、プリント基板３の裏面に、シートキー２側に照射するＬＥＤを設けるように構成してもよい。
【００２７】
また、この発明の実施の形態１におけるシートキー２では、表面シート５、導電インク２ｂが形成されたベースシート７及びレジストにより構成されるレジスト層８をそれぞれ別に成形して重ねるように構成したが、表面シート５の裏面に導電インク２ｂ及びレジストを直接形成するように構成してもよく、このように構成することで、シートキー２の層の数をさらに減らすことができ、より薄型に構成することができる。
【符号の説明】
【００２８】
１  アナンシエータ
２  シートキー
２ａ  操作キー部
２ｂ  導電インク（導電体）
２ｃ  開口部
２ｄ  カードポケット
３  プリント基板
３ａ  導電体
３ｂ  ＬＥＤ
４  樹脂フレーム
４ａ  収容部
５  表面シート
５ａ  操作キー部
５ｂ  透過部
６  カードスペーサ
６ａ  スペース
６ｂ  開口部
７  ベースシート
７ａ  開口部
８  レジスト層
８ａ，８ｂ  開口部
【図１】
2011060597.tif 000003
【図２】
2011060597.tif 000004
【図３】
2011060597.tif 000005
【図４】
2011060597.tif 000006